(57)【要約】【課題】部品点数を増加することなく、一次側空間からコーナー部への空気漏れを抑制するとともに、コーナーパネルに電子機器を容易に取り付けることができる天井埋込型空気調和装置を提供すること。【解決手段】角部１０１にコーナーパネル１０２を備える化粧パネル１００は、吸込口に連通する一次側空間Ｒ１と吹出口に連通する二次側空間Ｒ２とを区分けする立壁部４０と、この立壁部４０に取り付けられ、コーナーパネル１０２に対向して角部１０１を上から覆うモーターカバー３４とを備え、立壁部４０に、コーナーパネル１０２にオプションとして配置されるリモコン受信部と電装箱とを接続する配線が通過する切り欠き部４１を設けるとともに、この切り欠き部４１を閉塞する閉塞片をモーターカバー３４に一体に設け、この閉塞片は、コーナーパネル１０２にリモコン受信部が配置される場合にモーターカバー３４から切り取られ切り欠き部４１を開口させる。【選択図】図３
2010169275.tif 000002
【特許請求の範囲】
【請求項１】
送風機、熱交換器及び電装箱を収容する筐体と、この筐体の下面に配置され、吸込口及び吹出口が開口された化粧パネルとを備え、この化粧パネルのコーナー部にコーナーパネルを備える天井埋込型空気調和装置において、
前記化粧パネルは、前記吸込口に連通する一次側空間と前記吹出口に連通する二次側空間とを区分けする立壁部と、この立壁部に取り付けられ、前記コーナーパネルに対向して前記コーナー部を上から覆うカバー部材とを備え、
前記立壁部に、前記コーナーパネルにオプションとして配置される電子機器と前記電装箱とを接続する配線が通過する孔部を設けるとともに、この孔部を閉塞する閉塞片を前記カバー部材に一体に設け、この閉塞片は、当該コーナーパネルに前記電子機器が配置される場合に前記カバー部材から切り取られ前記孔部を開口させることを特徴とする天井埋込型空気調和装置。
【請求項２】
前記閉塞片は、薄肉部を介して、前記カバー部材の端部から下方に延出して設けられていることを特徴とする請求項１に記載の天井埋込型空気調和装置。
【請求項３】
前記カバー部材は、前記立壁部に係止される複数の係止片を備え、これら係止片の間に前記閉塞片を設けたことを特徴とする請求項１または２に記載の天井埋込型空気調和装置。
【請求項４】
前記カバー部材は、前記吹出口に沿って設けられるルーバーを回動させるモーターを覆うモーターカバーであることを特徴とする請求項１乃至３のいずれかに記載の天井埋込型空気調和装置。
【発明の詳細な説明】
【技術分野】
【０００１】
本発明は、コーナーパネルに電子機器をオプションとして配置可能な化粧パネルを備える天井埋込型空気調和装置に関する。
【背景技術】
【０００２】
送風機、熱交換器及び電装箱を収容する筐体と、この筐体の下面に配置され、吸込口及び吹出口が開口された化粧パネルとを備え、この化粧パネルのコーナー部にコーナーパネルを備える天井埋込型空気調和装置が知られている（例えば、特許文献１参照）。この種の天井埋込型空気調和装置では、コーナーパネルのいずれかに、メーカーがオプションとして用意した、例えば、ワイヤレスリモコンの受信部等の電子機器を設けることができ、このワイヤレスリモコンの操作により、設定温度、風向き又は風量の調整、もしくは、化粧パネルに設けた吸込グリルの昇降動作を実行することができる。
【特許文献１】特開２００７−２４４５４号公報
【発明の開示】
【発明が解決しようとする課題】
【０００３】
ところで、コーナーパネルに電子機器を配置する場合、この電子機器は筐体内に収容される電装箱と配線で接続される。ここで、電装箱は吸込口に連通する熱交換器の一次側空間に位置するのに対し、電子機器は吹出口に連通する熱交換器の二次側空間に位置するため、これら電装箱と電子機器とを配線で接続するには、上記２つの空間を区分けする化粧パネルの立壁部に上記配線が通過する貫通孔を設けることを要する。
空気調和装置の設置時に貫通孔を設けるのは作業負担が大きいため、各コーナーパネルに対応する立壁部に予め貫通孔を設けておき、電子機器が配置されないコーナーパネルの貫通孔にはシール材を嵌めることにより、一次側空間からコーナー部への空気漏れを抑制する方法が考えられる。
しかし、この場合には、電子機器が配置されないコーナーパネルに対応する貫通孔にすべてシール材を嵌める必要があるため、部品点数の増加や電子機器の取り付け作業が複雑になるといった問題があった。
【０００４】
そこで、本発明の目的は、上述した従来の技術が有する課題を解消し、部品点数を増加することなく、一次側空間からコーナー部への空気漏れを抑制するとともに、コーナーパネルに電子機器を容易に取り付けることができる天井埋込型空気調和装置を提供することにある。
【課題を解決するための手段】
【０００５】
上述した課題を解決するため、本発明は、送風機、熱交換器及び電装箱を収容する筐体と、この筐体の下面に配置され、吸込口及び吹出口が開口された化粧パネルとを備え、この化粧パネルのコーナー部にコーナーパネルを備える天井埋込型空気調和装置において、前記化粧パネルは、前記吸込口に連通する一次側空間と前記吹出口に連通する二次側空間とを区分けする立壁部と、この立壁部に取り付けられ、前記コーナーパネルに対向して前記コーナー部を上から覆うカバー部材とを備え、前記立壁部に、前記コーナーパネルにオプションとして配置される電子機器と前記電装箱とを接続する配線が通過する孔部を設けるとともに、この孔部を閉塞する閉塞片を前記カバー部材に一体に設け、この閉塞片は、当該コーナーパネルに前記電子機器が配置される場合に前記カバー部材から切り取られ前記孔部を開口させることを特徴とする。
【０００６】
この構成によれば、コーナー部を上から覆うカバー部材に孔部を閉塞する閉塞片を一体に形成したため、カバー部材を取り付けるだけで孔部を容易に閉塞することができ、部品点数を増加することなく、一次側空間からコーナー部への空気漏れを抑制することができる。また、コーナーパネルに前記電子機器が配置される場合には、閉塞片をカバー部材から切り取るといった簡単な作業で孔部が開口するため、容易に電子機器の取り付けを行うことができる。
【０００７】
この構成において、前記閉塞片は、薄肉部を介して、前記カバー部材の端部から下方に延出して設けられている構成としても良い。この構成によれば、閉塞片を切り取ることが簡単であり、容易に孔部を開口させることができ、コーナーパネルへの電子機器の取り付け作業の軽減化を図ることができる。
【０００８】
また、上記構成において、前記カバー部材は、前記立壁部に係止される複数の係止片を備え、これら係止片の間に前記閉塞片を設けた構成としても良い。この構成によれば、係止片の間に閉塞片を設けることにより、この閉塞片を立壁部に密着させることができ、孔部と閉塞片との隙間を小さく保持することができる。このため、孔部を通じて一次側空間からコーナー部への空気漏れを抑制することができる。
【０００９】
また、上記構成において、前記カバー部材は、前記吹出口に沿って設けられるルーバーを回動させるモーターを覆うモーターカバーである構成としても良い。この構成によれば、モーターカバーがモーターを覆って保護する機能と、閉塞片により孔部を閉塞する機能とを備えるため、各機能を有する部材をそれぞれ設ける必要はなく部品点数を削減することができる。
【発明の効果】
【００１０】
本発明によれば、コーナー部を上から覆うカバー部材に孔部を閉塞する閉塞片を一体に形成したため、カバー部材を取り付けるだけで孔部を容易に閉塞することができ、部品点数を増加することなく、一次側空間からコーナー部への空気漏れを抑制することができる。また、コーナーパネルに前記電子機器が配置される場合には、閉塞片をカバー部材から切り取るといった簡単な作業で孔部が開口するため、容易に電子機器の取り付けを行うことができる。
【発明を実施するための最良の形態】
【００１１】
以下、図面を参照して本発明の一実施の形態を説明する。
図１は、本実施形態に係る天井埋込型空気調和装置を下面側から示す斜視図、図２は天井埋込型空気調和装置の縦断面図である。なお、以下の説明において、上下左右等の方向は設置状態に対応する方向である。
【００１２】
天井埋込型空気調和装置（以下、単に空気調和装置という）１０は、図１及び図２に示すように、装置本体２０と、この装置本体２０の下側に配置される化粧パネル１００とを備えて構成されている。
装置本体２０は、図１に示すように、その外ケースを構成する金属製の筐体２１を備え、この筐体２１は、金属板の板金加工で形成され、天板部（天板）２１ｂと、天板部２１ｂの外縁に沿って下方へ延出する側板部（側板）２１ｃとを備えて下側全面が開口する箱型形状に形成されている。
筐体２１の側板部２１ｃの外面であって４つの角部には、装置本体２０を吊り下げるための吊り金具２８がそれぞれ設けられている。この吊り金具２８は、天井裏の吊りボルト２９に取り付けられ、装置本体２０が吊り下げられる態様で支持される。
【００１３】
化粧パネル１００は、装置本体２０の下部、つまり、筐体２１の下部に取り付けられる。この化粧パネル１００は、樹脂製パネルで形成され、筐体２１の下側開口よりも大型の矩形状とされ、その中央部に室内空気を取り込むための１つの吸込口１１０を有し、この吸込口１１０の周囲に化粧パネル１００の４辺に沿って延在し、熱交換後の空気を吹き出すための複数（本例では４つ）の吹出口１２０を有している。
この化粧パネル１００の吸込口１１０には、吸込グリル１１１が着脱自在に取り付けられ、この吸込グリル１１１には、エアフィルター２５（図２）が装着され、このエアフィルター２５により吸込口１１０に吸い込まれる室内空気を清浄化する。また、化粧パネル１００の吹出口１２０には、風向き変更用のルーバー１２２が配置されており、このルーバー１２２は図示せぬステッピングモーターの駆動により回動する。
【００１４】
化粧パネル１００の４つの角部（コーナー部）１０１には、それぞれコーナーパネル１０２が取り付けられている。コーナーパネル１０２は、化粧パネル１００の下側に向けて取り外し可能に構成され、このコーナーパネル１０２を外したときに、上述した吊り金具２８と吊りボルト２９との係合位置まで取り付け作業者の手が入るような大きさを有している。
また、本実施形態では、コーナーパネル１０２には、メーカーがオプションとして用意したワイヤレスリモコンのリモコン受信部（電子機器）１０２Ａが設けられ、このリモコン受信部１０２Ａに向けてワイヤレスリモコンを操作することにより、設定温度、風向き又は風量の調整等を実行することができる。
【００１５】
また、図２に示すように、筐体２１の内部には、天板部２１ｂ及び側板部２１ｃの内側に発泡スチロール製の断熱材３がほぼ全面にわたって配置されており、この断熱材３の内側に、送風機９、及び熱交換器１１が収容されている。
送風機９は、シャフトを下向きに配置されたモーター５と、モーター５のシャフトに取り付けられたターボファン７とで構成されている。熱交換器１１は、上面視で略五角形に成形されたプレートフィン型の熱交換器であり、送風機９を取り囲むように配置される。この熱交換器１１によって、筐体２１の内部が吸込口１１０に連通して調和前空気が流れる一次側空間Ｒ１（筐体２１の中央部）と、吹出口１２０に連通して調和後の空気（調和空気）が流れる二次側空間Ｒ２（筐体２１の側板部２１ｃの周辺部）とに画成される。
【００１６】
熱交換器１１の下方には、熱交換器１１の下面を覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、筐体２１の側板部２１ｃの内面に接するように配設され、ドレンパン１３の中央には吸込開口１４が開口し、周縁部には熱交換器１１を通った調和空気を通すための吹出開口１５が形成されている。吸込開口１４の上部には、吸込開口１４を通った被調和室の空気を送風機９に案内するノズル１７が取り付けられている。また、ドレンパン１３の下面には空気調和装置１０の制御回路や電源回路等を収容した電装箱１９がねじ止めされている。
【００１７】
このように構成される空気調和装置１０は、図示しない室外機から供給される冷媒を熱交換器１１に通して、熱交換器１１を蒸発器または凝縮器として機能させ、送風機９の動作によって吸込口１１０から被調和室の室内空気を吸い込み、この室内空気を吸込開口１４及びノズル１７を通して熱交換器１１に供給して冷却または加熱し、調和空気とする。そして、空気調和装置１０は、送風機９の動作によって、調和空気を吹出開口１５を通して吹出口１２０から被調和室に吹き出し、被調和室を冷房または暖房する。
【００１８】
図３は、化粧パネルの角部を示す斜視図である。
化粧パネル１００上には、図３に示すように、この化粧パネル１００の４辺に沿って導風部材３０が配置され、この導風部材３０には、吹出口１２０と吹出開口１５とを繋ぐ導風経路３１が形成される。この導風経路３１には、上記したルーバー１２２が回動自在に配置されている。具体的には、導風経路３１に沿って長手方向に延びるルーバー１２２の両端部に軸部（図示略）が設けられ、一端側の軸部は導風部材３０に軸支され、他端側の軸部はステッピングモーター３２に連結されている。このステッピングモーター３２は、導風部材３０の端部に形成された収容部３３に収容されている。本構成では、隣接する２つの導風部材３０、３０の端部にそれぞれ収容部３３、３３が対向するように形成され、これら収容部３３、３３上に跨ってステッピングモーター３２、３２を覆うモーターカバー（カバー部材）３４が配置されている。このモーターカバー３４の下面側には、下方に突出する略円柱形状の突出部（図示略）が一体に形成され、この突出部は収容部３３、３３におけるステッピングモーター３２の両側の穴３３Ａに嵌められることにより、モーターカバー３４の位置決めがなされる。モーターカバー３４は、コーナーパネル１０２に対向して配置され、このモーターカバー３４により化粧パネル１００の角部１０１が上から覆われる。
【００１９】
また、化粧パネル１００の上面には、吸込グリル１１１の外側を囲う立壁部４０が立設されている。この立壁部４０は、吸込グリル１１１と導風部材３０との間に配置されるとともに、導風部材３０と略同一の高さに形成されている。この立壁部４０により、吸込口１１０に連通する一次側空間Ｒ１と吹出口１２０に連通する二次側空間Ｒ２とが区分けされるため、吸込口１１０から吸い込まれた空気が熱交換器１１を経由することなく、吹出口１２０から吹き出されることが防止される。
【００２０】
上述のように、化粧パネル１００の角部１０１には、オプションとしてリモコン受信部１０２Ａが設けられたコーナーパネル１０２が取り付けられている。このコーナーパネル１０２の上面（装置本体２０に対向する面）には、リモコン受信部１０２Ａの制御基板１０２Ｂが配置されており、この制御基板１０２Ｂは上記した電装箱１９と配線（図示略）で接続されている。
ここで、電装箱１９は、化粧パネル１００上の一次側空間Ｒ１に位置するのに対し、リモコン受信部１０２Ａの制御基板１０２Ｂは、二次側空間Ｒ２に位置するため、これら２つの空間を区分けするように立設する立壁部４０には、電装箱１９と制御基板１０２Ｂとを接続する配線が通過するように切り欠き部（孔部）４１が形成されている。この切り欠き部４１は、コーナーパネル１０２に対応する立壁部４０のコーナー４０Ａに配線が通過可能な程度の大きさに形成され、これら配線を通した際に切り欠き部４１と配線との隙間から漏れる空気量を抑えている。
また、切り欠き部４１の周囲には、立壁部４０から化粧パネル１００の角部１０１側へ延びる案内部４２が形成され、この案内部４２が配線を案内する経路の一部を構成するとともに、切り欠き部４１近傍の立壁部４０を補強する機能を有する。
【００２１】
一方、コーナーパネル１０２にオプションが何も配置されない場合には、一次側空間Ｒ１内に空気が化粧パネル１００の角部１０１に漏れることを防止するため、切り欠き部４１を閉塞する必要がある。本構成では、図４Ａに示すように、切り欠き部４１には、この切り欠き部４１の内側（一次側空間Ｒ１側）に延在して当該切り欠き部４１を閉塞する閉塞片３５が設けられ、この閉塞片３５はモーターカバー３４に一体に形成されている。これによりモーターカバー３４を取り付けるだけで、閉塞片３５で切り欠き部４１が閉塞されるため、一次側空間Ｒ１から化粧パネル１００の角部１０１への空気漏れを防止できる。
この閉塞片３５は、モーターカバー３４の側縁から下方に延出して形成されており、この閉塞片３５の両側には、モーターカバー３４を立壁部４０に固定するための２つの係止片３６、３６が形成されている。これら係止片３６、３６は、閉塞片３５と同様にモーターカバー３４の側縁から下方に延出して形成されており、係止片３６の略中央には、図４Ｂに示すように、立壁部４０に形成された係止爪４３が嵌る係止孔３６Ａが形成されている。モーターカバー３４は、上記した突出部を穴３３Ａに挿し込んで位置決めするとともに、係止片３６の係止孔３６Ａを係止爪４３に嵌めることにより、化粧パネル１００の角部１０１に固定される。また、２つの係止片３６、３６の間に閉塞片３５が形成されているため、この閉塞片３５を立壁部４０に密着させることができ、切り欠き部４１と閉塞片３５との隙間を小さく保持することができる。このため、切り欠き部４１を通じて一次側空間Ｒ１から角部１０１への空気漏れを抑制することができる。
【００２２】
また、閉塞片３５は、図４Ｂに示すように、モーターカバー３４に薄肉部３５Ａを介して接続されている。この薄肉部３５Ａは、風圧等の小さな力では薄肉部３５Ａを中心として閉塞片３５が揺動しない程度の硬さを有する一方、閉塞片３５の下縁部３５Ｂを手指等で図中前方に移動させると、薄肉部３５Ａが破断して閉塞片３５がモーターカバー３４から切り取られる。
【００２３】
これによれば、コーナーパネル１０２にリモコン受信部１０２Ａを設けた場合には、図５Ａ及び図５Ｂに示すように、切り欠き部４１が開口するため、この切り欠き部４１を通じて、リモコン受信部１０２Ａの制御基板１０２Ｂから延びる配線４４を一次側空間Ｒ１に導くことができ、この配線４４を電装箱１９に容易に接続することができる。
特に、本構成では、閉塞片３５がモーターカバー３４から容易に切り取ることができるため、モーターカバー３４を取り外す等の作業を要することなく、簡単に切り欠き部４１を開口させることができる。
【００２４】
以上説明したように、本実施形態によれば、送風機９、熱交換器１１及び電装箱１９を収容する筐体２１と、この筐体２１の下面に配置され、吸込口１１０及び吹出口１２０が開口された化粧パネル１００とを備え、この化粧パネル１００の角部１０１にコーナーパネル１０２を備える空気調和装置１０において、化粧パネル１００は、吸込口１１０に連通する一次側空間Ｒ１と吹出口１２０に連通する二次側空間Ｒ２とを区分けする立壁部４０と、この立壁部４０に取り付けられ、コーナーパネル１０２に対向して角部１０１を上から覆うモーターカバー３４とを備え、立壁部４０に、コーナーパネル１０２にオプションとして配置されるリモコン受信部１０２Ａと電装箱１９とを接続する配線４４が通過する切り欠き部４１を設けるとともに、この切り欠き部４１を閉塞する閉塞片３５をモーターカバー３４に一体に設けたため、このモーターカバー３４を取り付けるだけで切り欠き部４１を容易に閉塞することができ、部品点数を増加することなく、一次側空間Ｒ１から化粧パネル１００の角部１０１への空気漏れを抑制することができる。
また、コーナーパネル１０２にリモコン受信部１０２Ａが配置される場合には、閉塞片３５をモーターカバー３４から切り取るといった簡単な作業で切り欠き部４１が開口するため、容易にリモコン受信部１０２Ａの取り付けを行うことができる。
【００２５】
また、本実施形態によれば、閉塞片３５は、薄肉部３５Ａを介して、モーターカバー３４の側縁から下方に延出して設けられているため、この閉塞片３５を切り取ることが簡単であり、容易に切り欠き部４１を開口させることができ、コーナーパネル１０２へのリモコン受信部１０２Ａの取り付け作業の軽減化を図ることができる。
【００２６】
また、本実施形態によれば、モーターカバー３４は、立壁部４０に係止される複数の係止片３６を備え、これら係止片３６の間に閉塞片３５を設けたため、この閉塞片３５を立壁部４０に密着させることができ、切り欠き部４１と閉塞片３５との隙間を小さく保持することができる。このため、切り欠き部４１を通じて一次側空間Ｒ１から化粧パネル１００の角部１０１への空気漏れを抑制することができる。
【００２７】
また、本実施形態によれば、モーターカバー３４は、吹出口１２０に沿って設けられるルーバー１２２を回動させるステッピングモーター３２を覆うモーターカバー３４であるため、このモーターカバー３４がステッピングモーター３２を保護する機能と、閉塞片３５により切り欠き部４１を閉塞する機能とを共用するため、各機能を有する部材をそれぞれ設ける必要はなく部品点数を削減することができる。
【００２８】
以上、本発明の一実施形態について説明したが、本発明はこれに限定されるものではなく、種々の変更実施が可能である。例えば、本実施形態では、４辺に沿って吹出口が形成される４方向吹き出し形の空気調和装置について説明したが、これに限らず、対向する２辺に沿って吹出口が形成される２方向吹き出し形等の他の空気調和装置にも適用することができる。
【図面の簡単な説明】
【００２９】
【図１】本実施形態に係る天井埋込型空気調和装置を下面側から示す斜視図である。
【図２】天井埋込型空気調和装置の縦断面図である。
【図３】化粧パネルの角部を示す斜視図である。
【図４】（Ａ）は、コーナーパネルにオプションを配置しない場合の状態を示す斜視図であり、（Ｂ）はその部分拡大図である。
【図５】（Ａ）は、コーナーパネルにオプションとしてリモコン受信部を配置した場合の状態を示す斜視図であり、（Ｂ）はその部分拡大図である。
【符号の説明】
【００３０】
９  送風機
１０  天井埋込型空気調和装置
１１  熱交換器
１９  電装箱
２１  筐体
２１ｃ  側板部
３２  ステッピングモーター
３３  収容部
３３Ａ  穴
３４  モーターカバー（カバー部材）
３５  閉塞片
３５Ａ  薄肉部
３６  係止片
４０  立壁部
４１  切り欠き部（孔部）
４４  配線
１００  化粧パネル
１０１  角部（コーナー部）
１０２  コーナーパネル
１０２Ａ  リモコン受信部（電子部品）
１１０  吸込口
１１１  吸込グリル
１２０  吹出口
１２２  ルーバー
Ｒ１  一次側空間
Ｒ２  二次側空間
【図１】
2010169275.tif 000003
【図２】
2010169275.tif 000004
【図３】
2010169275.tif 000005
【図４】
2010169275.tif 000006
【図５】
2010169275.tif 000007